(57)【要約】      （修正有）【課題】ホウキの長さが吊りシロより長くても固定保持することができるホウキ保管保持金具を提供する。【解決手段】ホウキの柄を挟み保持する金具であって、金具の中央にホウキの柄を入れ両側に配置したくさびの重力による締め付けで柄を固定する、柄の挿入時はくさび２が金具の傾斜枠１の上限にあり、くさびの間が開いており、両側くさびの同時落下により、傾斜を滑り落ち、柄６を両側から締め付ける。【選択図】図５
0003204117.tif 000002
【実用新案登録請求の範囲】
【請求項１】
掃除道具で、ホウキ、Ｔ型ホウキ、等の柄を挟み保持する金具。通常のフックの代をする物
挟み保持する機能は  金具の中央にホウキの柄を入れ両側からくさびが引力の重さによる締め付けで柄を固定する。柄の挿入時は傾斜上限にある両側くさびの間が開いており、両側くさびを落下させると、傾斜を滑り落ち柄を両側から締め付けて固定する。
【請求項２】
両側のくさびには  一部、滑り止め材質が混在し、ホウキの柄に接する面には締め付け幅調整を兼ねた、突起となる。
【考案の詳細な説明】
【技術分野】
【０００１】引力を利用した締め付け。
【考案の概要】
【考案が解決しようとする課題】
【０００１】ホウキの種類も色々あり、全体の長さが異なり、従来のＬ型フックでは対応出来ない場合がある。吊フックと床の高さの距離が足らない場合がある。
この場合、ホウキを吊るす事ができない。
【課題を解決するための手段】
【０００２】ホウキの全体の長さが吊りシロより長くても柄の任意の場所を挟み固定することで  吊シロ不足を解消できる。
【考案の効果】
【０００３】異なるホウキの長さでも、フック（固定）の水平位置が定まりホウキ置場の整理整頓に役立つ。
【図面の簡単な説明】
【０００４】
【図１】上から見下ろす図  １は枠、２はくさび、３は滑り止め、４は軸
【図２】使用していない状態、くさびが下がり、ホウキの柄を挟む、隙間が閉まった状態。
【図３】２くさびが４軸の上への移動により、くさびが上がった状態、ホウキを挟む隙間が開いている状態。この開いた時の状態でホウキの柄を５の隙間に持ち込む。
【図４】両側のくさび２が  引力により下がり、ホウキの６、柄を締め付けて固定する。
【図５】代表図  ７はホウキ保持金具取り付け梁
【考案を実施するための形態】
【０００５】くさびが枠の傾斜面を滑り落ち、両側から中心に落ち込む事により、センターに落ち寄る事を利用して挟む。
【実施例】写真はホウキを５本Ｌ型フックで吊るしているが、  Ｔ型ホウキは吊るすことが出来ないので、Ｌ型に変わり１〜２箇所  新案の保持金具を作製使用を計画
作製中である。
0003204117.tif 000003
【符号の説明】１  枠はボデイ
２  くさびで、傾斜に沿って滑り落ち、両側より間隔を締め付ける。
３  くさびは複数の部品が重なり合って形成されている、部品３の二枚は滑り難い材質を使用、出の調整で挟む間隔を調整する。
４  くさびの重なり合った部品を締め付けて、一つのくさびとし、またこの軸が枠の傾斜に沿って上に移動すると、間隔は開き、また  軸が下がると間隔が閉まることになる。
５  ホウキの柄が入るくさび間の隙間。
６  ホウキの柄
７  新案のホウキ保持金具を取り付ける梁、画の様な専用枠の梁もあろうし、壁に取り付けたプレートの場合もあります。
【図１】
0003204117.tif 000004
【図２】
0003204117.tif 000005
【図３】
0003204117.tif 000006
【図４】
0003204117.tif 000007
【図５】
0003204117.tif 000008
【手続補正書】
【提出日】平成27年12月1日(2015.12.1)
【手続補正１】
【補正対象書類名】実用新案登録請求の範囲
【補正対象項目名】全文
【補正方法】変更
【補正の内容】
【実用新案登録請求の範囲】
【請求項１】
掃除道具で、ホウキ、Ｔ型ホウキ、等の柄を挟み保持する金具であって通常のフックの代をする物で  金具の中央にホウキの柄を入れ両側からくさびが重力による締め付けで前記柄を固定する、前記柄の挿入時は傾斜上限にある両側くさびの間が開いており、両側くさびを同時に落下させると、傾斜を滑り落ち、前記柄を両側から締め付けて前記柄を固定保持するための金具。
【請求項２】
掃除道具の柄を挟む、両側のくさびには材質の異なった材料をサンドイッチ状に重ね合わせ、一部滑り止め材質を使用、ホウキの柄に接する面には締め付け幅調整を兼ねた、突起を切って間隔調整出来る材質を備えた請求項１に記載の金具。
【手続補正２】
【補正対象書類名】明細書
【補正対象項目名】全文
【補正方法】変更
【補正の内容】
【考案の詳細な説明】
【技術分野】
【０００１】引力を利用した締め付け。
【考案の概要】
【考案が解決しようとする課題】
【０００２】ホウキの種類も色々あり、全体の長さが異なり、従来のＬ型フックでは対応出来ない場合がある。吊フックと床の高さの距離が足らない場合がある。この場合、ホウキを吊るす事ができない。
【課題を解決するための手段】
【０００３】ホウキの全体の長さが吊りシロより長くても柄の任意の場所を挟み固定することで  吊シロ不足を解消できる。
【考案の効果】
【０００４】異なるホウキの長さでも、フック（固定）の水平位置が定まりホウキ置場の整理整頓に役立つ。
【図面の簡単な説明】
【０００５】
【図１】上から見下ろす図  １は枠、２はくさび、３は滑り止め、４は軸
【図２】使用していない状態、くさびが下がり、ホウキの柄を挟む、隙間が閉まった状態。
【図３】２くさびが４軸の上への移動により、くさびが上がった状態、ホウキを挟む隙間が開いている状態。この開いた時の状態でホウキの柄を５の隙間に持ち込む。
【図４】両側のくさび２が  引力により下がり、ホウキの６、柄を締め付けて固定する。
【図５】代表図  ７はホウキ保持金具取り付け梁
【考案を実施するための形態】
【０００６】くさびが枠の傾斜面を滑り落ち、両側から中心に落ち込む事により、センターに落ち寄る事を利用して挟む。
【実施例】
【０００７】ホウキを５本Ｌ型フックで吊るしているが、Ｔ型ホウキは吊るす高さより長く、吊るすことが出来ないので、Ｌ型フックに変わり１〜２箇所  新案の保持金具を使用。
【符号の説明】
【０００８】１  枠はボデイ
２  くさびで、傾斜に沿って滑り落ち、両側より間隔を締め付ける。
３  くさびは複数の部品が重なり合って形成されている、部品３の二枚は滑り難い材質を使用、出の調整で挟む間隔を調整する。
４  くさびの重なり合った部品を締め付けて、一つのくさびとし、またこの軸が枠の傾斜に沿って上に移動すると、間隔は開き、また  軸が下がると間隔が閉まることになる。
５  ホウキの柄が入るくさび間の隙間。
６  ホウキの柄
７  新案のホウキ保持金具を取り付ける梁、専用枠の梁もあろうし、壁に取り付けたプレートの場合もあります。
【手続補正書】
【提出日】平成28年2月18日(2016.2.18)
【手続補正１】
【補正対象書類名】実用新案登録請求の範囲
【補正対象項目名】全文
【補正方法】変更
【補正の内容】
【実用新案登録請求の範囲】
【請求項１】
掃除道具で、ホウキ、Ｔ型ホウキ、等の柄を挟み保持する金具であって通常のフックの代をする物で  金具の中央にホウキの柄を入れ両側からくさびが重力による締め付けで前記柄を固定する、前記柄の挿入時は柄を挟む隙間にこすり付け、柄を上方向にスライドすると柄が押し込まれ、柄より手を離すと、両側くさびが同時に、傾斜を滑り落ち、前記柄を両側から締め付けて前記柄を固定保持するための金具。
【請求項２】
掃除道具の柄を挟む、両側のくさびには材質の異なった材料をサンドイッチ状に重ね合わせ、柄に接する重ね合わせ材は、滑り止め材質を使用、ホウキの柄に接する面には締め付け幅調整を兼ねた、重ね合わせ状のはみ出した部分を柄の太さに合わせて、出の調整で間隔調整出来る材質を備えた請求項１に記載の金具。